(57)【要約】      （修正有）【課題】ベッドマットからずれる又は飛び出ることを防止する構造を備える離床センサを提供する。【解決手段】ベッドマットの下に設置され、患者の荷重を検知し、ナースコールする離床センサ４において、接触感知部材４１と、接触感知部材を嵌挿する中空孔４３を設けた本体４０とからなる。また、離床センサの本体は、上部が蒲鉾状面に形成され、底部が平面で、その底部の中央長手方向に凸部を設ける。これにより、離床センサがベッドマットからずれたり、飛び出たりすることはない。ゆえに、監視者は、一度設置すれば、その設置状態のまま、本考案に係る離床センサを長い間使用することができる。本考案に係る離床センサは、病院や施設において、監視者の監視負担を解消し、多大な人手と労力の軽減を図ることができる。【選択図】図６
0003119093.tif 000002
【実用新案登録請求の範囲】
【請求項１】
ベッドマットの下に設置され、患者の荷重を検知し、ナースコールする離床センサにおいて、
接触感知部材と、前記接触感知部材を嵌挿する中空孔を設けた本体とからなることを特徴とする離床センサ。
【請求項２】
請求項１において、本体は、上部が蒲鉾状面で、底部が平面に形成されることを特徴とする離床センサ。
【請求項３】
請求項２において、前記本体は、底部の中央長手方向に凸部を設けたことを特徴とする離床センサ。
【請求項４】
請求項３において、前記凸部は、矩形又は半円形の断面を有することを特徴とする離床センサ。
【請求項５】
請求項１において、前記本体は、弾力性のある部材で構成されることを特徴とする離床センサ。
【請求項６】
請求項５において、前記弾力性のある部材は、ゴムであることを特徴とする離床センサ。
【請求項７】
請求項１ないし請求項６において、前記本体を発泡ゴムで被うことを特徴とする離床センサ。
【請求項８】
請求項１ないし請求項７において、前記本体の蒲鉾状面の長手方向に複数の溝を形成することを特徴とする離床センサ。
【請求項９】
請求項１ないし請求項８において、前記接触感知部材は、患者の荷重により変動する圧力を検知することを特徴とする離床センサ。
【請求項１０】
請求項１ないし請求項９において、前記接触感知部材は、患者の荷重により変動する静電容量を検出することを特徴とする離床センサ。
【考案の詳細な説明】
【技術分野】
【０００１】
本考案は、ベッドマットからずれる又は飛び出ることを防止する構造を備える離床センサに関する。
【背景技術】
【０００２】
従来、病院や施設において、患者の転倒事故は、患者がベッドから立ち上がる際に発生することが多く、患者をベッドから離床しないように監視しておく必要があった。また、痴呆老人などの患者は、ベッドから離床し、院内を徘徊するため、ベッドから離れる時を監視する必要があった。しかし、監視者が患者を常時監視することは、多大な人手と時間を要するため、監視者が患者を監視する負担は大きい。
【０００３】
このような状況において、監視者の監視負担を軽減する目的で、特許文献１及び特許文献２に示すように、患者の動作を検知し、ナースコールする離床センサが提案されている。
【０００４】
特許文献１に示されるものは、図９に示すような、ベッドマットの下に設置されるマット型の離床センサであり、患者がベッドから起き上がる動作をマット全体の範囲において検知するものである。
【０００５】
特許文献２に示されるものは、特許文献１に示されているマット型の離床センサが患者の体勢による誤作動が多いという欠点を解決するものであり、ベッドの端部のみが検知領域となっている。患者がベッドから起き上がる動作ではなく、ベッドから離れる際の動作を検知するものである。また、これは、ベッドの端部のみを検知領域としているため、患者がベッドマットの中央部分で寝返りをうっても、離床センサが誤作動することがない点が特許文献１より優れている。
【特許文献１】特開２００５−１５２６１６
【特許文献２】特開２００３−２６５５４６
【考案の開示】
【考案が解決しようとする課題】
【０００６】
しかしながら、上記の特許文献２に示されるものは、患者が、何度もベッドマットの上で寝返りをうつ、起き上がる、離床する等の動作を繰り返すたびに、離床センサがベッドマットの下の設置した位置からずれてしまう。時には、ベッドマットから飛び出てしまうこともある。すなわち、従来の離床センサは、長い間使用されると、離床センサがベッドマットからずれる、又は飛び出るという問題があった。
【０００７】
このような問題があるため、監視者は、離床センサがベッドに設置された位置からずれるたびに、離床センサをもとの位置に設置しなおさなければならない。離床センサを何度も設置しなおすことは、多大な人手と時間がかかるので、監視者の監視負担は増大する。
【０００８】
そこで、本考案は、ベッドマットからずれる又は飛び出ることを防止する構造を備える離床センサを提供することを目的とする。
【課題を解決するための手段】
【０００９】
上述の課題を解決する手段として、本考案に係る離床センサは、ベッドマットの下に設置され、患者の荷重を検知し、ナースコールする離床センサにおいて、接触感知部材と、接触感知部材を嵌挿する中空孔を設けた本体とからなることを特徴とする。
【００１０】
好ましくは、本体は、上部が蒲鉾状面で、底部が平面に形成することを特徴とする。
【００１１】
好ましくは、本体は、底部の中央長手方向に凸部を設けたことを特徴とする。
【００１２】
好ましくは、凸部は、矩形又は半円形の断面を有することを特徴とする。
【００１３】
好ましくは、本体は、弾力性のある部材で構成されることを特徴とする。
【００１４】
好ましくは、弾力性のある部材は、ゴムであることを特徴とする。
【００１５】
好ましくは、本体を発泡ゴムで被うことを特徴とする。
【００１６】
好ましくは、本体の蒲鉾状面の長手方向に複数の溝を形成することを特徴とする。
【００１７】
好ましくは、接触感知部材は、患者の荷重により変動する圧力を検知する圧力感知部材であることを特徴とする。
【００１８】
好ましくは、接触感知部材は、患者の荷重により変動する静電容量を検出する静電容量感知部材であることを特徴とする。
【考案の効果】
【００１９】
本考案に係る離床センサは、病院や施設において、ベッドマットの下に設置され、患者の荷重を検知し、ナースコールするため、監視者の監視負担を解消することができる。
【００２０】
また、患者が何度もベッドマットの上で寝返りをうつ、起き上がる、離床する等の動作を繰り返しても、本考案がベッドマットからずれる、又は飛び出ることを防止することができる。
【考案を実施するための最良の形態】
【００２１】
第１の実施例．
本考案の第１の実施例について、図面を参照しながら説明する。図１は、本考案の第１の実施例の離床センサが使用されるベッドとナースコールシステムを示す図である。図１において、ベッド１は、患者の転落を防止する手すり３がベッド１の周りに設けられ、ベッドマット２が敷かれている。離床センサ４は、手すり３がない部分、すなわちベッド１の出入り部分のベッドマット２の下に設置される。離床センサ４をベッド１の出入り部分に設置するのは、患者がベッド１から離れる際に、例えば、患者の手や足や臀部が離床センサ４の上に乗ることによって、患者がベッドマット２から離床する動作を離床センサ４で検知するためである。
【００２２】
図２は、本考案の第１の実施例の離床センサを示す図である。図２において、離床センサ４は、接触感知部材４１と、接触感知部材４１を嵌挿する中空孔４３を設けた本体４０とからなる。離床センサ４で検知された患者の動作検知信号は、離床センサ４から接続コード８と、センサアダプタ５を介しナースコール接続コネクタ７へ送られ、病院や施設内のナースセンターへナースコールされる。また、センサアダプタ５は、離床センサ４に用いられる接触感知部材４１の種類により検知信号の波形やレベル等が異なるため、レベル変換や波形変換等の処理を行い、患者の検知信号をナースコール端子７で受信可能にしている。
【００２３】
図３は、本考案の第１の実施例の離床センサを構成する本体を示す図である。図４は、本考案の第１の実施例の離床センサを構成する接触感知部材を示す図である。図５は、本考案の第１の実施例の離床センサを構成する本体の底部に設けた凸部を示す図である。図３において、本体４０は、その上部が蒲鉾状面４４に形成され、その底部には凸部４２が設けられる。蒲鉾状面４４は、図３に示すように、本体４０の上部を蒲鉾状に湾曲させた形状の面である。凸部４２は、本体４０の底部の中央長手方向に形成される。さらに、本体４０は、中空孔４３が設けられ、中空孔４３は、その本体４０を長手方向に貫通する。なお、本体４０の底部は、凸部４２を設けず、平面とすることもできる。
【００２４】
図４において、接触感知部材４１は、前記本体４０の中空孔４３と同じサイズで形成され、中空孔４３に嵌挿される。これにより、接触感知部材４１は、本体４０と一体になる。接触感知部材４１は、例えば、患者の荷重により変動する圧力を検知する圧力検知センサや、患者の荷重により変動する静電容量を検出する容量検知センサが用いられる。
【００２５】
図５において、凸部４２は、本体４０の底部の中央に位置し、本体４０の長手方向へ直線状に延び、本体４０と同じの長さに形成される。すなわち、凸部４２は、図５に示すように、本体４０の底部に一本のレール型になる。ここで、凸部４２の幅Ｘ１は、例えば、本体４０の幅Ｙ１の５分の１の幅に形成し、凸部４２の長さＸ２は、本体４０の長手方向の長さＹ２と同じ長さに形成させることが望ましい。凸部４２の断面形状は、上記と同様の機能を発揮しえる程度に、例えば、矩形又は半円形に形成しても良い。
【００２６】
図６（ａ）は、本考案の第１の実施例の離床センサが荷重された第１の状態を模式的に示す図であり、図６（ｂ）は、本考案の第１の実施例の離床センサが荷重された第２の状態を模式的に示す図である。図６（ａ）において、本体４０は、凸部４２及び本体縁部４５でベッド１に接地している。患者がベッドマット２の上に乗った際に、患者の荷重は、ベッドマット２から蒲鉾状面４４を介して本体４０に加わり、凸部４２及び本体縁部４５へ加わる。そのため、本体４０は、凸部４２及び本体縁部４５で支えられた状態になる。また、患者の荷重は、接触感知部材４１にも加わる。なお、接触感知部材４１は、ベッドマット２の荷重のみでは作動しないようにしておく。これは、接触感知部材４１がベッドマットの荷重のみで作動してしまうと、誤作動となるからである。図６（ｂ）において、本体４０は、凸部４２及び本体縁部４６でベッド１に接地しており、図６（ａ）に示す本体４０が患者の荷重で傾いた状態である。
【００２７】
ここで、ベッドマットからずれる又は飛び出ることを防止する構造について説明する。本体４０は、図６（ａ）に示すように、上部が蒲鉾状面４４に形成されている。よって、患者がベッドマット２の上に乗って本体４０が荷重された際に、本体４０に加わる縦方向の力が、凸部４２及び本体縁部４５に集中する。そのため、本体４０は、ベッド１との接触抵抗が増大し、本体４０が設置した位置からずれる、又はベッドマット２から飛び出ることがない。また、患者の荷重が、凸部４２の反対側に加わった場合は、本体４０は、図６（ｂ）のように傾くことによって、その荷重を本体縁部４６で支えることができる。そのため、本体４０に大きな力が加わっても、本体４０が設置した位置からずれる、又はベッドマット２から飛び出ることがない。このように、離床センサ４は、ベッドマット２からずれる又は飛び出ることを防止できる。
【００２８】
従って、本考案の第１の実施例は、患者が、何度もベッドマットの上で寝返りをうつ、起き上がる、離床する等の動作を繰り返しても、ベッドマットからずれる、又は飛び出ることはない。監視者は、離床センサがベッドマットからずれることがないので、一度、所定の位置に設置するだけで良く、何度も離床センサをもとの設置しなおす必要がない。ゆえに、本考案の第１の実施例は、人的・時間的労力を軽減し、監視者の監視負担を解消する。
【００２９】
第２の実施例．
図７は、本考案の第２の実施例の離床センサを示す図である。上述の第１の実施例と構成を同じにし、さらに、発泡ゴム４７を備えるものである。発泡ゴム４７は、本体４０の表面を被うものであり、ベッドマット２に使用される布材との接触抵抗が大きい材質である。発泡ゴム４７はベッドマット２との接触抵抗が大きいので、本体４０は、ベッドマット２からずれの力が加わっても、離床センサ４は、ずれることはない。このように、本考案の第２の実施例は、第１の実施例よりもさらにベッドマットからずれる又は飛び出ることを防止できる。
【００３０】
第３の実施例．
図８は、本考案の第３の実施例の離床センサを示す図である。上述の第１の実施例と構成を同じにし、さらに、溝４８を備えたものである。溝４８は、本体４０の蒲鉾状面４４に設けられ、その溝４８は本体４０の長手方向へ直線状に形成される。また、溝４８は、ベッドマット２との接触抵抗がより大きくするために、複数設けると良い。なお、溝４８の数は、本考案の機能を発揮できればその本数は変更可能である。このように、本考案の第３の実施例は、第１の実施例よりもさらにベッドマットからずれる又は飛び出ることを防止できる。
【００３１】
本考案は、上述した実施形態に限定されるものではなく、この考案の要旨を逸脱しない範囲内で様々な変形や応用が可能である。
【産業上の利用可能性】
【００３２】
本考案は、病院や施設において、ベッドマットの下に設置され、患者の荷重を検知し、ナースコールする離床センサとして利用することができる。
【図面の簡単な説明】
【００３３】
【図１】本考案の第１の実施例の離床センサが使用されるベッドとナースコールシステムを示す図である。
【図２】本考案の第１の実施例の離床センサを示す図である。
【図３】本考案の第１の実施例の離床センサを構成する本体を示す図である。
【図４】本考案の第１の実施例の離床センサを構成する接触感知部材を示す図である。
【図５】本考案の第１の実施例の離床センサを構成する本体の底部に設けた凸部を示す図である。
【図６】（ａ）は、本考案の第１の実施例の離床センサが荷重された第１の状態を模式的に示す図であり、（ｂ）は、本考案の第１の実施例の離床センサが荷重された第２の状態を模式的に示す図である。
【図７】本考案の第２の実施例の離床センサを示す図である。
【図８】本考案の第３の実施例の離床センサを示す図である。
【図９】従来の離床センサを示す図である。
【符号の説明】
【００３４】
１  ベッド
２  ベッドマット
３  手すり
４  離床センサ
５  センサアダプタ
７  ナースコール端子
８  接続コード
４０  本体
４１  接触感知部材
４２  凸部
４３  中空孔
４４  蒲鉾状面
４７  発泡ゴム
４８  溝
【図１】
0003119093.tif 000003
【図２】
0003119093.tif 000004
【図３】
0003119093.tif 000005
【図４】
0003119093.tif 000006
【図５】
0003119093.tif 000007
【図６】
0003119093.tif 000008
【図７】
0003119093.tif 000009
【図８】
0003119093.tif 000010
【図９】
0003119093.tif 000011